(57)【要約】【課題】  外観上はミシン目が形成されない封筒と認識されるとともに、ハサミ等の切断具を使用しなくとも容易にかつ確実に開封可能な封筒である。【解決手段】  開口部（８）を折り返して塞ぐ開口側舌片（１５）が設けられた封筒（Ｆ１）において、開口部（８）に沿ってミシン目（Ｍ１）が形成されるとともに、このミシン目（Ｍ１）の近傍位置に開口側舌片（１５）を封筒の外表面に接着する封止用の接着部（１０Ａ）が設けられ、開口側舌片（１５）はこれを折り返してミシン目（Ｍ１）を覆うように接着されている。【選択図】  図１
2007022662.tif 000002
【特許請求の範囲】
【請求項１】
封筒の表側の中央シートと、封筒の裏側の裏面シートと、中央シートの外周に折り返し線を介して折り返される少なくとも一つの外周舌片とを備え、
上記外周舌片は、その長手方向において折り返し線に沿って開封用のミシン目が形成されて折り返され、この折り返された外周舌片の上に、裏面シートが開封用のミシン目を覆うように重ね合わされて、ミシン目の上方側の糊しろ部を介して接着され、
開封時には、開封用のミシン目が切られてもミシン目から折り返し線までの外周舌片の部分は折り返された状態で残るものであることを特徴とする封筒。
【請求項２】
前記裏面シートのミシン目が形成された外周舌片と対応する側の外周端部の全部が前記外周舌片の折り返し線上であるか、又は、外側に位置することを特徴とする請求項１記載の封筒。
【請求項３】
前記ミシン目が形成された外周舌片側を短辺とし、前記表側中央シートの長辺部分には、内容物を封入するための開口側舌片を備えていることを特徴とする請求項１記載の封筒。
【請求項４】
前記ミシン目が形成された外周舌片側を長辺とし、前記表側中央シートの短辺部分には、内容物を封入するための開口側舌片を備えていることを特徴とする請求項１記載の封筒。
【請求項５】
前記裏面シートのミシン目が形成された外周舌片と対応する側の外周端部は、前記外周舌片の折り返し線よりも内側に緩やかな円弧形状として形成されていることを特徴とする請求項１記載の封筒。
【請求項６】
前記裏面シートの外周端部に開封用の印が付されていることを特徴とする請求項１記載の封筒。
【発明の詳細な説明】
【技術分野】
【０００１】
本発明は、開封が容易且つ確実に行える封筒に関する。
【背景技術】
【０００２】
従来、封筒（或いは封書）を受け取った受取人は、ハサミやカッター或いはペーパーナイフ等の切断具を用いて開封していたが、ハサミ等の切断具を使用せずに開封するために、封筒の外周部にミシン目を施すとともに、その端部につまみ部を形成した封筒が種々開示されている（例えば、実開平０４−１９４３６号公報、実開平０６−３５１３９号公報、実用新案登第３０１１３３８号公報、特開平１０−１８１７４９号公報等）。なお、これらミシン目が設けられていない一般の封筒においては、開口部を折り返えして塞ぐ開口側舌片の外周側端部を指で挟んで開封しようとすると、開口側舌片が切り残されて開封できず、ハサミ等の切断具を使用せざるを得なくなる場合が通常である。
【発明の開示】
【発明が解決しようとする課題】
【０００３】
しかしながら、上記従来の封筒は、いずれも封筒の外周部にミシン目が形成されていることから、発送の途中でミシン目から切断されて内容物が露出する危険を有するばかりか、受取人に目立つようにミシン目が封筒の外周部に施されているために、見栄えが悪く、封筒としての外観上も好ましいものとは言えなかった。また、郵送の途中で剥がれたり切断されたり、大きなミシン目から雨水等の水が侵入して内容物を汚す危険も有していた。
また、郵便局での郵便の処理は、ほとんどが機械化されているが、封筒の外周部にミシン目が施されていると、ミシン目の大きさやピッチ間隔等にもよるが、ミシン目が機械に引っかかったりなどして機械処理ができなくなったり、紙ヅマリが生じて機械の故障となるおそれを有していた。
【０００４】
このため、「機械処理困難な郵便物の形状等に関する研究会」が発足して、機械処理可能な郵便物の形状等に関する基準、設定方法の研究が行われ、「機械処理可能な郵便物（第１種・第２種郵便物）に関するガイドライン」が設定されているほどである。例えば、一条のミシン目を郵便物の両面に設けるものについては（郵便物の重量が２５ｇ以下の場合）、ミシン目を設ける位置がいずれか一方の短辺に設けるようにされ、また、ミシン目の歯と止めの長さが、歯２ｍｍ以下止め１ｍｍ以下のピッチとするようにされ、さらに、ミシン目にストレスがかかるような段差がないよう内容物に留意することが記載されている。また、郵便物の重量が２５ｇ超５０ｇ以下の場合、料額印面から遠い方の短辺一カ所に限るとされ、ジッパータイプでは、裏面の下方の短辺に限るとされている。
【０００５】
なお、封筒に内容物を封入する場合は、開口側舌片の側の開口部から封入し、開封するときも開口側舌片の側の開口部から開封することが一般的である。しかしながら、従来のミシン目付きの封筒等は、ミシン目が施される開口側舌片の側の開口部から封入するために、封入の際にミシン目が損傷したり、開口側舌片を接着剤等で接着する際にその接着が良好に接着されない場合が生じていた。
【０００６】
そこで、本発明の第１の目的は、ミシン目が施され容易にかつ確実に開封できるが、外部からはミシン目を認識することがない封筒を提供することにある。
【課題を解決するための手段】
【０００７】
本発明の封筒は、封筒の表側の中央シートと、封筒の裏側の裏面シートと、中央シートの外周に折り返し線を介して折り返される少なくとも一つの外周舌片とを備え、上記外周舌片は、その長手方向において折り返し線に沿って開封用のミシン目が形成されて折り返され、この折り返された外周舌片の上に、裏面シートが開封用のミシン目を覆うように重ね合わされて、ミシン目の上方側の糊しろ部を介して接着され、開封時には、開封用のミシン目が切られてもミシン目から折り返し線までの外周舌片の部分は折り返された状態で残るものであることを特徴とする。
【発明の効果】
【０００８】
この発明によれば、ミシン目が形成された外周舌片上に重ね合わせ用舌片が重ね合わされることから、外部からは開封用のミシン目は隠れているので、外観上はミシン目がない従来一般の封筒と認識される。そして、封筒を受け取った受取人は、外周舌片の所定箇所と重ね合わせ用舌片の所定箇所とを指で挟んで左右に引っ張るようにすると、外周舌片の長手方向に形成されている開封用のミシン目に沿って切り取られ、容易にかつ確実に開封することができる。したがって、発送等の途中で容易に開封されたり、雨水等が侵入して内容物を濡らすような危険もない。また、従来の封筒の外周部にミシン目が形成された封筒のように、ミシン目が郵便局（発送局）の機械処理に支障を来すような事態を防止することができる。さらに、開封用のミシン目Ｍ１が切り取られると、図１８に示すように、外周舌片３が内側に撓んだような状態になるので、内容物Ｓの落下を防止することにもなる。また、図１７に示すように、内容物Ｓが封筒Ｆ１の四周側面いっぱいに及ぶようなものでも、開封用のミシン目Ｍ１が形成された外周舌片３の下側に入るので、開封側８のぎりぎりの位置まで入れることが可能である。
【発明を実施するための最良の形態】
【０００９】
以下、本発明の一実施の形態を添付の図面を参照して詳細に述べる。
【００１０】
（第１の実施の形態）
本実施の形態は、図１及び図２に示すように、紙製の封筒Ｆ１（長形３号とか長形４号とも呼ばれる）に本発明を適用したもので、この封筒Ｆ１は、一方側（図中右側）が内容物Ｓが入れられる開口部８を塞ぐ開口側舌片１５が設けられ、その反対側（図中左側）に封止側舌片１６が形成されている。開口側舌片１５も封止側舌片１６も封筒Ｆ１の外周に折り返して設けられ接着剤等を介して接着されるようになっている。この封筒Ｆ１の開口部８は、開口側舌片１５の側である。なお、図１及び図２は封筒Ｆ１の背面側１ｂを示す図である。また、開封位置には、その目印としての矢印符号が記入されている。そして、この封筒のＦ１の開口部８には、この開口部８に沿って開封用のミシン目Ｍ１が形成されている。この開封用のミシン目Ｍ１は、開口側舌片１５による開封を補助するためのもので、折り返される開口側舌片１５に隠れる封筒Ｆ１の外表面に形成されている。本実施の形態の開封用のミシン目Ｍ１は、直線状のもので、その両端部Ｍ１ａ，Ｍ１ｂは、封筒Ｆ１の外周部の折り目部にまで達しているが、外周部の近くにまで及べば、折り目部にまで達していなくとも良く、又開口部８に達するようにコ字状に屈曲させるようにしても良い（図３、図４、図５参照）。本実施の形態のミシン目Ｍ１は、その両端部Ｍ１ａ，Ｍ１ｂも含め直線状のものであり、その両端部Ｍ１ａ，Ｍ１ｂは、ほぼ台形形状の開口側舌片１５に隠れない部分を有するが、これは、開口側舌片１５がほぼ台形形状を呈するからであり、開口側舌片１５の左右両端部が封筒Ｆ２の幅に対応する四角形状のものである場合は、ミシン目Ｍ１の両端部Ｍ１ａ，Ｍ１ｂも完全に隠れるようになる。このように、一部分が開口側舌片１５に隠れない部分を有するものも、本発明に含まれる。
【００１１】
また、開封用のミシン目Ｍ１の近傍位置には、開口側舌片１５を封筒Ｆ１の外表面に接着する封止用の接着部１０Ａが所定間隔をおいて設けられている。この封止用の接着部１０Ａは、通常は開口側舌片１５の封筒Ｆ１の外表面に接着させるためのものであるが、本実施の形態では更に開封用のミシン目Ｍ１からの開封を容易且つ綺麗に行うための役割を有する。すなわち、封止用の接着部１０Ａが所定間隔をおいて設けられているために、開口側舌片１５の外周側端部１５ａを指で挟んで開封させると、全面塗布の場合よりも、開口側舌片１５は封止用の接着部１０Ａを介してミシン目Ｍ１の部分を引っ張る役割を有し、容易に開封される。本実施の形態の封止用の接着部１０Ａは、開封用のミシン目Ｍ１の内側（図面上は上方側）に設けられているが、開封用のミシン目Ｍ１の近傍位置であればよく、開封用のミシン目Ｍ１を跨ぐように設けられていても良い。なお、封止用の接着部１０Ａには、接着剤の他、両面テープが貼着されるものであってもよく、また、剥離し易いようにするシール加工が施されるものであっても良い。ここで、シール加工とは、近年のはがきに見られるもので、ヒートシール層Ｈが設けられて圧着され、開封が容易で外側からはセロファンの紙面のように認識されるものである（図１２参照）。そして、本実施の形態では、図１２に示すように、開口側舌片１５と、この開口側舌片１５を封筒Ｆ１ａの外表面に接着する部分に上記シール加工による圧着が施される封筒Ｆ１ａとして構成しても良い。このようなシール加工による圧着が施される場合は、後述する図１３に示す封入方法が好適である。なお、各実施の形態では、封止用の接着部１０Ａの位置は開口側舌片１５の側に設けられているが、この位置に対応する封筒Ｆ１の背面側（封筒の開口部側の外表面）１ｂであっても良い。
【００１２】
次に、本実施の形態の封筒Ｆ１を実際に使用する場合には、図１に示すように、封筒Ｆ１の開口部８から内容物Ｓを封入し、接着部３に接着剤や両面テープ等を塗布して封をする。なお、封入の仕方は、従来からある通常の封筒の封入の仕方と同じである。他方、この封筒（封書）Ｆ１を受け取った者は、開口側舌片１５の外周側端部１５ａを指で挟んで開封する。なお、開封の仕方も、従来からある通常の封筒の開封の仕方と同じである。この折り返された開口側舌片１５を展開するようにすると、開封用のミシン目Ｍ１の近傍の封止用の接着部１０Ａの位置には接着剤や両面テープ等が配されているために、開封用のミシン目Ｍ１の部分を引っ張るようになり、その結果、開封用のミシン目Ｍ１に沿って綺麗に確実に開封されることとなる。すなわち、図１中矢印部分から剥離しようとすると、開封用のミシン目Ｍ１の部分に沿って剥離する力（上記引っ張るような力）が働き、ぱらぱらとリズミカルに綺麗に開封用のミシン目Ｍ１に沿って開封される。そして、開封用のミシン目Ｍ１の両端部Ｍ１ａ，Ｍ１ｂまで切り取られた後は、封筒Ｆ１の外周部の折り目部に沿って開封される。この場合、接着剤等が塗布されていない開口側舌片１５の外周側端部１５ａの何れの箇所から行っても同じように綺麗に開封され、必ずしも図１中矢印部分から剥離しなければならないというものではない。ここで、開封用のミシン目Ｍ１の内側にのみ接着剤等が塗布されている場合は、その片側の部分を引っ張るようになり、更にミシン目Ｍ１に沿って綺麗に確実に開封されることとなる。なお、このように開封用のミシン目Ｍ１に沿って開封された後の開口側舌片１５には、図２に示すように、上記開封用のミシン目Ｍ１の痕跡が残る。
【００１３】
本実施の形態では、封筒Ｆ１のミシン目Ｍ１は、外観上は開口側舌片１５に隠れることから、外観上はミシン目Ｍ１が形成されない通常の封筒であると認識されるとともに、雨水等の水が侵入するような危険もない。したがって、ミシン目Ｍ１が施される部分に雨水等の侵入を防止するための防水加工を施すような必要はない。さらに、通常の封筒とは、封止用の接着部１０Ａの範囲を除くと、ミシン目Ｍ１の有無しか相違がないために、製造も極めて容易であり、従来の通常の封筒用紙にも即座に適用可能である。なお、本実施の形態の封筒Ｆ１の開封の仕方は、ミシン目が施されていない通常の封筒と同様であり、開封用のミシン目Ｍ１は開口側舌片１５により覆われるので、封筒Ｆ１その事態を脆弱なものとすることもない。すなわち、郵送等の途中で極端に折り曲げられても開封用のミシン目Ｍ１が切り取られるようなこともない。
ここで、封止側舌片１６の側にも開口側舌片１５と同じように、封止側舌片１６に隠れるように開封用のミシン目Ｍ１を形成することは実施に応じ任意である。この場合は、封筒（或いは封書）を受け取った受取人が誤って封止側舌片１６の側から開封しようとしても、開口側舌片１５と同じように、開封用のミシン目Ｍ１に沿って開封されることとなる。この場合は、封止側舌片１６の側が上記開口側舌片１５と同じ役割を果たすことから、つまり封止側舌片１６の側が開封位置であるから、この場合も本発明の範囲に含まれる。
【００１４】
次に、本実施の形態の応用例を説明すると、この封筒Ｆ１ａのミシン目Ｍ１は、図３に示すように、開口部８に達するようにコ字状に屈曲され形成されている。すなわち、開封用のミシン目Ｍ１の両端部Ｍ１ａ，Ｍ１ｂは、直角状に屈曲されて各々開口部８に達するように形成されている。ここで、直角状部分のミシン目Ｍ１は、その切り取り幅が大きく形成されていることが好ましい。開封の際に、この直角状部分のミシン目Ｍ１，Ｍ１ａ，Ｍ１ｂに沿って無理なくスムーズに開封させるためである。このようにミシン目Ｍ１の両端部Ｍ１ａ，Ｍ１ｂが直角状に屈曲されて形成されていることにより、ほぼ台形形状の開口側舌片１５であっても、ミシン目Ｍ１の両端部Ｍ１ａ，Ｍ１ｂがすべてほぼ台形形状の開口側舌片１５に隠れるようになる。
【００１５】
（第２の実施の形態）
本実施の形態は、図４に示すように、紙製の封筒（長形３号とか長形４号とも呼ばれる）Ｆ２に本発明を適用したもので、この封筒Ｆ２は、一方側（図中上側）に内容物Ｓが入れられる開口部８を塞ぐ開口側舌片１５が設けられ、その反対側（図中下側）に封止側舌片１６が設けられている。この封筒Ｆ２の開口部８は、開口側舌片１５の側である。ただし、ミシン目Ｍ１は形成されておらず、折り返えされた開口側舌片１５の基端部側が封止される封止用の接着部１０Ａが所定間隔をおいて設けられている。すなわち、開口側舌片１５の基端部側の長手方向に糊等の接着剤が塗布されて、封筒の外表面に所定間隔をおいて接着されている。このような接着のパターンとしては、糊等の接着剤を散点状に塗布したり一部分塗布したり、間隔を変えたりするなどして種々のものが考えられる。
【００１６】
開口側舌片１５の外周側端部１５ａには、拡開防止用の接着部１０Ｂが設けられた部分と設け設けられていない部分がある。拡開防止用の接着部１０Ｂが設けられた部分は、開口側舌片１５が郵送等の途中で剥離することがないようにするために、ところどころに（所定間隔をおいて）設けられている。他方、拡開防止用の接着部１０Ｂが設けられない分は、指でこの外周側端部１５ａを挟み易くして開封を容易にするため設けられている。後者の拡開防止用の接着部１０Ｂが設けられない部分は、開口側舌片１５の外周側端部１５ａに複数設けて、これらの部分から開封するようになっている。また、具体的に図示しないが、拡開防止用の接着部１０Ｂには、接着剤を散点状に塗布したり、又は、封止用の接着部１０Ａと拡開防止用の接着部１０Ｂの区別無く、これら封止用の接着部１０Ａと拡開防止用の接着部１０Ｂの範囲に、接着剤を散点状に塗布したりすることも、接着剤の塗布による引っ張り力が分散されたりして、パラパラとリズミカルに綺麗に開封できる等の利点がある。この利点によって、結婚式の案内状など綺麗に保管したいものに良好である。
【００１７】
したがって、本実施の形態では、上記第１の実施の形態のような開封用のミシン目Ｍ１は形成されていないが、開口側舌片１５の基端部側が封止される封止用の接着部１０Ｂが所定間隔をおいて設けられていることから、一種のミシン目Ｍ１のような働きをすることとなる。すなわち、封筒Ｆ２を受け取った受取人は、開口側舌片１５の外周側端部１５ａを指で挟んで開封すると、上記所定間隔を接着されているところから切り取られ（剥離され）、ミシン目Ｍ１と同じように容易にかつ確実に開封することができる。
【００１８】
（第３の実施の形態）
本実施の形態は、図５及び図６に示すように、紙製の封筒Ｆ３に本発明を適用したもので、この封筒Ｆ３は、一方側（図中上側）に内容物Ｓが入れられる開口部８を塞ぐ開口側舌片１５が設けられ、その反対側（図中下側）に封止側舌片１６が設けられている。この封筒のＦ３の開口部８は、開口側舌片１５の側である。そして、本実施の形態の開封用のミシン目Ｍ１は、上記開口部８に沿うような直線状のもので、その両端部Ｍ１ａ，Ｍ１ｂは、封筒Ｆ３の外周部の折り目部にまで達しせず、コ字状に屈曲されている。
【００１９】
開口側舌片１５の外周側端部１５ａには、拡開防止用の接着部１０Ｂが設けられた部分と設け設けられていない部分がある。拡開防止用の接着部１０Ｂが設けられた部分は、開口側舌片１５が郵送等の途中で剥離することがないようにするために、ところどころに（所定間隔をおいて）設けられている。他方、拡開防止用の接着部１０Ｂが設けられない分は、指でこの外周側端部１５ａを挟み易くして開封を容易にするため設けられている。後者の拡開防止用の接着部１０Ｂが設けられない部分は、開口側舌片１５の外周側端部１５ａに複数設けて、これらの部分から開封するようになっている。また、具体的に図示しないが、拡開防止用の接着部１０Ｂには、接着剤を散点状に塗布したり、又は、封止用の接着部１０Ａと拡開防止用の接着部１０Ｂの区別無く、これら封止用の接着部１０Ａと拡開防止用の接着部１０Ｂの範囲に、接着剤を散点状に塗布したりすることも、接着剤の塗布による引っ張り力が分散されたりして、パラパラとリズミカルに綺麗に開封できる等の利点がある。この利点によって、結婚式の案内状など綺麗に保管したいものに良好である。
【００２０】
したがって、本実施の形態によれば、開口側舌片１５の外周側端部１５ａの拡開防止用の接着部１０Ｂが設けられない部分を指で挟んで開封すると、開封用のミシン目Ｍ１の近傍の封止用の接着部１０Ａの位置には接着剤や両面テープ等が配されているために、一条のミシン目Ｍ１の部分を引っ張るようになり、その結果、一条のミシン目Ｍ１に沿って綺麗に確実に開封されることとなる。ここで、一条のミシン目Ｍ１の両端部Ｍ１ａ，Ｍ１ｂは、コ字状に屈曲されて開封される。この場合、図５中の矢印の何れの位置からでも確実に綺麗に開封されることとなる。なお、上記拡開防止用の接着部１０Ｂや上記散点状の接着剤の塗布方法については、上記第１及び第２の実施の形態や後述する第４の実施の形態にも設けたり、使用したりしても良い。
【００２１】
（第４の実施の形態）
本実施の形態は、図７及び図８に示すように、いわゆる洋封筒Ｆ４に本発明を適用したもので、この封筒Ｆ４は、一方側（図中上側）が内容物Ｓが入れられるほぼ三角形状の開口側舌片１５が形成され、その反対側（図中下側）に対照的なほぼ三角形状の封止側舌片１６が形成されている。この封筒Ｆ４の開口部８もほぼ三角形状を呈している。
封筒Ｆ４の開口部８には、この開口部８に沿って開封用のミシン目Ｍ１が形成されている。すなわち、この封筒Ｆ４の背面側１ｂの開口部８に沿ってほぼ三角形状の一条のミシン目Ｍ１が形成されている。本実施の形態の封止用の接着部１０Ａは、一条のミシン目Ｍ１の近傍位置であればよく、一条のミシン目Ｍ１を跨ぐものや、一条のミシン目Ｍ１の内側でも良い。なお、上記開口側舌片１５の中央の頂点部分１５ｂの部分は、封止用の接着部１０Ａが設けられていない。
【００２２】
したがって、本実施の形態においては、封筒Ｆ４を受け取った受取人は、上記開口側舌片１５のほぼ三角形状の頂点部分１５ｂ（矢印参照）を指で挟んで開封しようとすると、開口側舌片１５は封止用の接着部１０Ａを介してミシン目Ｍ１の部分を引っ張るので、このミシン目Ｍ１に沿ってパラパラと左右に開くように綺麗に切り取られ、従来のように開口側舌片１５が切り残されるようなことがなくなる。なお、本実施の形態の封筒Ｆ４も第１の実施の形態の封筒Ｆ１も、紙製のものであるが、フィルム状の封筒でも、住所や氏名又は名称部分のみに透明フィルムが貼着された封筒にも適用可能である。
【００２３】
ところで、封書を大量に発行する場合は、これを代行業者等に委託する場合があり（個人の場合も含む）、このような場合は、代行業者等は専用の封筒を購入したり製造したものを使用することが多い。このような場合は、上記各実施の形態の封筒Ｆ１，Ｆ３，Ｆ４は、次のように使用すると、代行業者等が行う内容物Ｓの封入作業も、受取人が開封する場合の便宜が図られる。まず、第１の実施の形態の場合には、図９に示すように、上記開口側舌片１５を接着剤等を介して封止しておき、反対側（図９中下側）の封止側舌片１６の部分を糊付けする前に、内容物Ｓを封入するようにする。内容物Ｓを封入した後は、封止側舌片１６の部分を完全に糊付けする。次に、第３の実施の形態の場合には、図１０に示すように、上記開口側舌片１５を接着剤等を介して封止しておき、反対側（図１０中下側）の封止側舌片１６の部分を糊付けする前に、内容物Ｓを封入するようにする。内容物Ｓを封入した後は、封止側舌片１６の部分を完全に糊付けする。さらに、第４の実施の形態の場合には、図１１に示すように、上記開口側舌片１５を、接着剤等を介して封止しておき、封止側舌片１６の部分を糊付けする前に、内容物Ｓを封入するようにする。この場合の封止側舌片１６の糊付けする部分は、ほぼ三角形状の頂点部分１６ｂを除いた部分とし、頂点部分１６ｂは、内容物Ｓを封入した後、対応する開口側舌片１５の頂点部分１５ｂに差し込むようにする。このように逆側（図１１中下側）から内容物Ｓを封入するようにすると、代行業者等が多量の封書を発行する場合の封入の際に、ミシン目Ｍ１が損傷したり、開口側舌片１５の接着が接着に行われない等の不都合がなくなる。その結果、封入作業を容易且つ正確に行え、その作業の一掃の便宜が図られるとともに、完全な内容物Ｓの封入状態で封筒（或いは封書）を発送することができる。
【００２４】
次に、上述した図１２に示すシール加工が施されて圧着されている封筒Ｆ５についても、上記と同様に封入する。すなわち、この封筒Ｆ５を受け取った者は、この開口部８から容易に開封可能になっている。上記シール加工による圧着は、もとの状態に戻らないことが多いからである。そこで、このような封筒Ｆ５を使用する方法としては、図１３に示すように、封止側舌片１６の側の開口部から内容物Ｓを入れて封入すると、封入の際にミシン目Ｍ１が損傷したり、開口側舌片１５の接着が接着に行われない等の不都合がなく、完全な内容物Ｓの封入状態で封筒（或いは封書）Ｆ５を発送することができる。
【００２５】
（第５の実施の形態）
本実施の形態は、図１４に示すように、大型の封筒Ｆ６に本発明を適用したもので、この一方側（図中上側）が内容物Ｓが入れられる開口側舌片４が形成され、その反対側（図中下側）が内容物の量に応じて拡開される折り畳み部１７が形成されている。すなわち、この大型の封筒Ｆ６は、「封筒形状の容器」という表現の方が適切かもしれないが、この大型の封筒Ｆ５は、書類を大量に入れられるように所定の厚みを有し、所定幅が折り畳み部１７の折り畳みにより調整可能になっている。そして、開口側舌片１５は、ガムテープＧや両面テープで接着されて、折り返し線１８から折り曲げられるものである（図中矢印方向）。このような折り返しは、内容物Ｓが底部にのみ収まるものである場合は、幾重にも折り返され、ガムテープＧ（或いは両面テープ等）で境目を跨いで接着される。
このような容器Ｆ６は、郵便小包や宅配便の容器等に使用される一種の封筒である。そして、この封筒Ｆ６の開口部８には、この開口部８に沿って開封用のミシン目Ｍ１が形成されている。その他の構成は、第１の実施の形態乃至第４の実施の形態と同様である。したがって、本実施の形態においても、上記各実施の形態と同様、この封筒Ｆ６を受け取った受取人は、ガムテープＧの端部を指で挟んで開封しようとすると、開口側舌片１５は封止用の接着部１０Ａを介してミシン目Ｍ１の部分を引っ張られて綺麗に切り取られる。本実施の形態からも明らかなように、本発明は、開口部８を折り返えして塞ぐ開口側舌片１５が設けられた容器にも広く適用することが可能である。
【００２６】
（第６の実施の形態）
本実施の形態は、図１５及び図１６に示すように、紙製の封筒Ｆ７であり（長形３号とか長形４号とも呼ばれる）、展開された折り畳み封筒用紙Ｔ１の状態において、中央シート２と、中央シート２の外周に折り返される外周舌片３，４，５と、これらのうちの外周舌片３，４に重ね合わされる重ね合わせ用舌片６とを備えている。
中央シート２は、郵便番号欄が印刷されるとともに、宛先が表示される長方形状のもので、その四周側面に、各折り返し線７ａ，７ｂ，７ｃ，７ｄを介して外周舌片３，４，５と重ね合わせ用舌片６とが各々配されて、各折り返し線７ａ，７ｂ，７ｃ，７ｄを境にして折り返しやすくなっている。本実施の形態の外周舌片３，４，５には、各々糊付け等により接着される糊しろ部９がその長手方向に形成されている。他方、重ね合わせ用舌片６には、封止用の接着部１０Ａが形成されていない。なお、糊しろ部９には、その全面に両面テープや他の接着剤が塗布されるものでも良い。
【００２７】
中央シート２の上方の外周舌片３は、その長手方向に沿って開封用のミシン目Ｍ１が形成されるとともに、このミシン目Ｍ１を介して上方側には、糊付け等により接着される糊しろ部９がその長手方向に形成され、下方側には、拡開防止用の接着部１０Ｂが所定間隔をおいて設けられている。開封用のミシン目Ｍ１は、外周舌片３の長手方向の全域に形成されていることで、開封の容易化に資するが、例えば、外周舌片３の長手方向の中央位置の一部に形成されて、開封の初期段階の開封の容易化を図り、後はその勢いで長手方向の両端部まで切り取るような構成でも良い。中央シート２の下方の外周舌片４と、左側の外周舌片５とは、従来一般のものと何ら異ならない。拡開防止用の接着部１０Ｂの間隔は、任意に設定する。
【００２８】
重ね合わせ用舌片６は、封筒Ｆ７の裏面側に折り返えされる裏面シートであり、中央シート２とほぼ同じ大きさの長方形状を呈している。この重ね合わせ用舌片６の左右側面の一方（図１５中の上方側６ａ：外周端部）が開封する際の開口部８となる。この重ね合わせ用舌片６の外周端部（上方側）６ａは、外周舌片３の折り返し線７ａよりも内側になる部分を形成するために、緩やかな円弧形状に形成されている。なお、外周端部（上方側）６ａに更に指が掛かり易くする親指大の凹凸部を形成しても良い。また、その中央位置を示す矢印と「ＯＰＥＮ」の文字が施されている。したがって、重ね合わせ用舌片６と外周舌片３との境が段差となり、指で挟み易くなっている。ここで、この重ね合わせ用舌片６は、中央シート２の外周に折り返される外周舌片３，４，５の一種であり、反対に、外周舌片３，４，５は、中央シート２の外周に折り返される重ね合わせ用舌片６の一種である。本実施の形態の封筒Ｆ７は、開封用のミシン目Ｍ１と拡開防止用の接着部１０Ｂを除けば、従来の封筒と何ら異ならない。したがって、従来の封筒を使用して容易に製造することが可能である。
ここで、本明細書中のミシン目Ｍ１，Ｍ２，Ｍ３とは、チケットや入場券の半券切断部分等に施される細かな周知のミシン目であるが、切り取りが容易な大きな切り込みのミシン目（「ジッパー式のミシン目」、「蛇腹状のミシン目」とも呼ばれる）ものであっても良い。このような細かなミシン目としても、ミシン目から外れるようなことがない。なお、本明細書中において、ミシン目とは、上記各ミシン目の他、切り込みが連続したもの等、周知のミシン目を広く含まれるものとする。また、後述する第４の実施の形態のように、所定間隔をおいて糊付けしたような場合も含まれる。すなわち、本実施の形態では、外周舌片５とその上の重ね合わせ用舌片とを所定間隔をおいて糊付け等で接着したような場合も、所定間隔の切り込みとなるため、このような場合も含まれる。本実施の形態のミシン目Ｍ１は、開封用のミシン目であるが、二条以上の複数のミシン目Ｍ１とすることは実施に応じ任意である。
【００２９】
したがって、上記展開状態の折り畳み封筒用紙Ｋ１を折り畳んで封筒Ｆ７にする場合は、まず、図１５から図１６の順序に示すように、外周舌片３，４を折り返し線７ａ，７ｃを介して裏側に折り畳み、これらの上に重ね合わせ用舌片６を重ね合わせ接着させる。次に、外周舌片５を折り返し線７ｂを介して重ね合わせ用舌片６の上に重ね合わせ接着させる。このように折り畳み成形すると、本実施の形態の封筒Ｆ７が容易に製造される。ここで、重ね合わせ用舌片６には開封用の矢印が付されているので、折り畳み順序の目安ともなる。そして、本実施の形態の封筒Ｆ７によれば、内容物Ｓを端部まで入れることができる点等は、従来の封筒と何ら異ならない。すなわち、図１７に示すように、内容物Ｓが封筒Ｆ７の四周側面いっぱいに及ぶようなものでも、開封用のミシン目Ｍ１が形成された外周舌片３の下側に入るので、開封側８のぎりぎりの位置まで入れることが可能である。したがって、内容物Ｓが保険証書や契約書関係や使用明細書等の大きなもであっても、従来の封筒と同様に封入できる。
【００３０】
このような構成の本実施の形態の封筒Ｆ７を実際に使用する場合には、折り畳み成形した図１６の状態で内容物Ｓを入れて封入する。すなわち、外周舌片５を糊しろ部９を使用して折り返し接着させる。そして、封書を受け取った者は、重ね合わせ用舌片６の矢印が付された外周端部６ａを片方の手の指で挟み、外周舌片３の外周端部を他方の手の指で挟み、軽く左右に開くようにするか、又は、外周舌片３と重ね合わせ用舌片６との間にボールペン等の筆記具を差し込んで移動させる等すると、又は、外周舌片３と重ね合わせ用舌片６との間にボールペン等の筆記具を差し込んで移動させる等すると、ミシン目Ｍ１に沿って綺麗に切り取られ、図１８に示すように、封筒Ｆ７が開封される。したがって、郵便用の封筒を受け取った者は、受け取ったときは、ミシン目Ｍ１の箇所は外部から認識できないが、矢印を目安にして、ハサミ等の切断具を使用しなくとも軽い力で容易に綺麗に開封することができる。また、開封された後も、開封用のミシン目Ｍ１の箇所は外部からは見えないために、外部からは切り取られた箇所が認識できない（開封された）封筒Ｆ７として保管等されることとなる。さらに、開封用のミシン目Ｍ１が切り取られると、図１８に示すように、外周舌片３が内側に撓んだような状態になるので、内容物Ｓの落下を防止することにもなる。なお、本実施の形態の封筒Ｆ７は、送り主（発送側）等も従来の封筒と何ら異なることなく使用可能である。
【００３１】
本実施の形態によれば、ミシン目Ｍ１が形成された外周舌片３上に重ね合わせ用舌片６が重ね合わされ接着されていることから、外部からはミシン目Ｍ１は隠れて見えることがない。したがって、発送等の途中で容易に開封されたり、雨水等が侵入して内容物を濡らすような危険もない。また、従来の封筒のように外周部にミシン目が形成されたものとは異なり、郵便局（発送局）の機械処理に支障を来すような事態を防止することができる。すなわち、「械処理可能な郵便物（第１種・第２種郵便物）に関するガイドライン」の要望を満たすことになる。さらに、上述したようにミシン目がない従来一般の折り畳み封筒用紙にミシン目Ｍ１を形成して、折り畳む順序を注意するだけで容易に製造することが可能である。なお、従来の一般の折り畳み封筒用紙の折り畳み状態でも本実施の形態の封筒Ｆ７を製造することが可能である。
【００３２】
次に、本実施の形態の応用例を説明すると、図１９及び図２０に示すように、郵便番号欄が印刷される側とは反対側（図中下側）が開封側８とされるものである。したがって、上記外周舌片４の長手方向に沿って開封用のミシン目Ｍ１が形成されている。また、重ね合わせ用舌片６の下方側（外周端部）６ｂは、中央シート２の開封側（折り返し線７ｃ）よりも内側になるように緩やかな円弧形状に形成されるとともに、その中央位置を示す矢印が施されている。なお、重ね合わせ用舌片６の上方側６ａも、中央シート２の開封側よりも内側になるように緩やかな円弧形状に形成されているが、この応用例では、開封側とはならないために、中央シート２の開封側とちょうど重なり合うものでも良い。
したがって、この応用例によれば、第１の実施の形態と同じように、重ね合わせ用舌片６の矢印が付された開口側６ｂを片方の手の指で挟み、外周舌片４の外周端部を他方の手の指で挟み、軽く左右に開くようにすると、ミシン目Ｍ１に沿って綺麗に切り取られ、封筒Ｆ７が開封される。
【００３３】
（第７の実施の形態）
本実施の形態は、図２１及び図２２に示すように、封筒Ｆ８の長辺方向から内容物Ｓを取り出す封筒Ｆ８であり、展開された状態の折り畳み封筒用紙Ｋ２としては、中央シート２の外周に外周舌片３，４，５と重ね合わせ用舌片６とを備える。そして、図中左側の外周舌片５の長手方向に沿って開封用のミシン目Ｍ２が形成される一方、重ね合わせ用舌片６の外周端部６ｃの長手方向の中央に開封用の矢印とＯＰＥＮの文字が施されている。また、重ね合わせ用舌片６の外周端部６ｃが内側に緩やかな円弧形状に形成され、これにより外周舌片５の折り返し線７ｂよりも内側になる部分が形成され、外周舌片５の折り返し線７ｂとの境に段差が形成され、指で重ね合わせ用舌片６の外周端部６ｃを挟みやすいように形成されている。
【００３４】
本実施の形態を折り畳み成形する場合は、図２１から図２２の順序で、外周舌片５を折り返し線７ｃを介して裏側に折り畳み、これらの上に重ね合わせ用舌片６を重ね合わせ接着させる。その後、重ね合わせ用舌片６の上に外周舌片４を重ね合わせ接着させる。なお、外周舌片４は、外周舌片５を折り返した後、重ね合わせて、その上に重ね合わせ用舌片６を重ね合わせ接着させることも可能である。したがって、本実施の形態においては、上記重ね合わせ用舌片６の外周端部６ｃを指で挟み、他方、上記外周舌片５の外周端部を指で挟み、軽く左右に開くようにすると、ミシン目Ｍ２に沿って綺麗に切り取られ、封筒Ｆ８が開封される。その他の構成は、第１の実施の形態と同様である。
【００３５】
ここで、本実施の形態と第１の実施の形態の応用例とを組み合わせた封筒とすることも可能である。すなわち、本実施の形態の下方の外周舌片４の長手方向にも沿って開封用のミシン目Ｍ２（第１の実施の形態の応用例の開封用のミシン目Ｍ１）を形成し、上記順序で折り畳むことにより、開封用のミシン目Ｍ１を図２１中の外周舌片５のミシン目Ｍ２と共にＬ字状に形成し、上記順序で折り畳む。このように折り畳み成形した封筒は、開封する際、外周舌片５のミシン目Ｍ２と下方の外周舌片４の開封用のミシン目Ｍ１とが連続して、この封筒をＬ字状に開封し、内容物Ｓを取り出することが可能である。
【００３６】
（第８の実施の形態）
本実施の形態は、図２３及び図２４に示すように、角形封筒Ｆ９に本発明を適用したもので、展開された状態の折り畳み封筒用紙Ｋ３としては、中央シート２の外周に外周舌片３，４，５と重ね合わせ用舌片６とを備える。そして、外周舌片５と重ね合わせ用舌片６とが封筒Ｆ９の裏面側中央で重ね合わされている。また、下方側の外周舌片４の長手方向に沿って開封用のミシン目Ｍ３が形成されている。そして、重ね合わせ用舌片６の外周舌片４と対応する側の外周端部６ｂは、折り返し線７ｃよりも内側になるように形成されている。同じように、外周舌片５の外周舌片４と対応する側の外周端部１５ｂは、折り返し線７ｃよりも内側になるように形成されている。なお、本実施の形態は、外周舌片５と重ね合わせ用舌片６とが封筒Ｆ３の裏面側中央で重ね合わされるため、互いに位置が逆であっても良い。
本実施の形態を折り畳み成形する場合は、図２４に示すように、まず、外周舌片４を折り返し線７ｃを介して裏側に折り畳み、次に、外周舌片５と重ね合わせ用舌片６とを封筒Ｆ８の裏面中央で重ね合わせ接着させる。このように折り畳み成形された本実施の形態の封筒Ｆ９は、第６及び第７の実施の形態と同様、上記外周舌片４の外周端部４ａを指で挟むとともに、上記重ね合わされた外周舌片５と重ね合わせ用舌片６を指で挟み、他方、軽く左右に開くようにすると、ミシン目Ｍ３に沿って綺麗に切り取られ、封筒Ｆ９が開封される。その他の構成は、第６の実施の形態と同様である。
【００３７】
（第９の実施の形態）
本実施の形態は、図２５及び図２６に示すように、紙製の封筒（長形３号とか長形４号とも呼ばれる）Ｆ１０に本発明を適用したもので、展開された折り畳み封筒用紙Ｋ４の状態において、中央シート２と、中央シート２の外周に折り返される外周舌片３，４，５と、この外周舌片３，４，５に重ね合わされる重ね合わせ用舌片６とを備えている。そして、上記各実施の形態と同じように折り畳み成形されるものである。ただし、上記各実施の形態のようなミシン目Ｍ１，Ｍ２，Ｍ３は形成されておらず、折り返された外周舌片３の上に、重ね合わせ用舌片６が重ね合わされ、これら外周舌片３と重ね合わせ用舌片６との間が所定間隔をおいて接着されている。この接着されている部分を符号１１として示す。すなわち、外周舌片３の長手方向に糊等の接着剤が塗布されて、外周舌片３と重ね合わせ用舌片６との間が所定間隔をおいて接着されている。外周舌片３と重ね合わせ用舌片６との接着のパターンとしては、糊等の接着剤を散点状に塗布したり一部分塗布したり、間隔を変えたりするなどして種々のものが考えられる。その他の構成は、第１の実施の形態と同様であり、説明を省略するが、外周舌片３と重ね合わせ用舌片６の拡開を防止する拡開防止用の接着部１０Ｂが所定間隔をおいて更に設けられていても良い。
【００３８】
したがって、本実施の形態では、上記各実施の形態のようなミシン目Ｍ１，Ｍ２，Ｍ３（第１の実施の形態では外周舌片３のミシン目Ｍ１）は形成されていないが、外周舌片３と重ね合わせ用舌片６との間が所定間隔をおいて接着されていることから、一種のミシン目Ｍ１，Ｍ２，Ｍ３のような働きをすることとなる。すなわち、封筒Ｆ４を受け取った受取人は、外周舌片３の所定箇所と重ね合わせ用舌片６の所定箇所とを指で挟んで左右に引っ張るようにするか、又は、外周舌片３と重ね合わせ用舌片６との間にボールペン等の筆記具を差し込んで移動させる等すると、上記接着されているところから切り取られ、容易にかつ確実に開封することができる。
【００３９】
以上、上記各実施の形態の説明では、紙製の封筒を用いて説明したが、表面側に透明フィルムが貼着される窓部を有し、住所・氏名が印刷された内容物を外部から認識される種類の封筒やその他の封筒にもその種類を問わず幅広く使用することが可能である。また、上記各実施の形態の説明では、いわゆる長形３号や長形４号の封筒やいわゆる角形封筒に適用した例で説明したが、本発明はあらゆる封筒に広く適用できることは勿論、同様な形態の紙製等の容器にも広く適用可能である。
【図面の簡単な説明】
【００４０】
【図１】本発明の第１の実施の形態の封筒を示す背面図である。
【図２】第１の実施の形態の封筒の開口側舌片を展開した状態を示す背面図である。
【図３】第１の実施の形態の応用例を示す背面図である。
【図４】本発明の第２の実施の形態の封筒を示す背面図である。
【図５】本発明の第３の実施の形態の封筒を示す背面図である。
【図６】第４の実施の形態の封筒の開口側舌片を展開した状態を示す背面図である。
【図７】本発明の第５の実施の形態の封筒を示す背面図である。
【図８】第５の実施の形態の封筒の開口側舌片を展開した状態を示す背面図である。
【図９】第１の実施の形態の封筒の応用例を示す背面図である。
【図１０】第３の実施の形態の封筒の応用例を示す背面図である。
【図１１】第４の実施の形態の封筒の応用例を示す背面図である。
【図１２】本発明の第１の実施の形態の応用例を示す背面図である。
【図１３】本発明の第１の実施の形態の応用例の封筒を使用して内容物を封入する状態を示す背面図である。
【図１４】本発明の第５の実施の形態の封筒を示す背面図である。
【図１５】本発明の第６の実施の形態の展開された折り畳み封筒用紙の状態を示す正面図である。
【図１６】第６の実施の形態の折り畳み封筒用紙を折り畳み成形する順序を説明する背面図である。
【図１７】第５の実施の形態の封筒の開封側の断面図である。
【図１８】第５の実施の形態の封筒の開封した状態を示す斜視図である
【図１９】本発明の第６の実施の形態の応用例の折り畳み封筒用紙の状態を示す正面図である。
【図２０】上記応用例の折り畳み封筒用紙を折り畳み成形する順序を説明する背面図である。
【図２１】本発明の第７の実施の形態の折り畳み封筒用紙の状態を示す正面図である。
【図２２】第７の実施の形態の折り畳み封筒用紙を折り畳み成形する順序を説明する背面図である。
【図２３】本発明の第８の実施の形態の折り畳み封筒用紙の状態を示す正面図である。
【図２４】第８の実施の形態の折り畳み封筒用紙を折り畳み成形する順序を説明する背面図である。
【図２５】本発明の第９の実施の形態の折り畳み封筒用紙の状態を示す正面図である。
【図２６】第９の実施の形態の折り畳み封筒用紙を折り畳み成形する順序を説明する背面図である。
【符号の説明】
【００４１】
Ｆ１，Ｆ２，Ｆ３，Ｆ４，Ｆ５，Ｆ６，Ｆ７，Ｆ８，Ｆ９，Ｆ１０  封筒、
２  中央シート
３，４，５  外周舌片、４ａ，５ｂ  外周端部、
６  裏面シート、６ａ，６ｂ，６ｃ  外周端部、
７，７ａ，７ｂ，７ｄ  折り返し線、
８  開口部、
Ｍ１，Ｍ２，Ｍ３  ミシン目、
Ｓ  内容物、
【図１】
2007022662.tif 000003
【図２】
2007022662.tif 000004
【図３】
2007022662.tif 000005
【図４】
2007022662.tif 000006
【図５】
2007022662.tif 000007
【図６】
2007022662.tif 000008
【図７】
2007022662.tif 000009
【図８】
2007022662.tif 000010
【図９】
2007022662.tif 000011
【図１０】
2007022662.tif 000012
【図１１】
2007022662.tif 000013
【図１２】
2007022662.tif 000014
【図１３】
2007022662.tif 000015
【図１４】
2007022662.tif 000016
【図１５】
2007022662.tif 000017
【図１６】
2007022662.tif 000018
【図１７】
2007022662.tif 000019
【図１８】
2007022662.tif 000020
【図１９】
2007022662.tif 000021
【図２０】
2007022662.tif 000022
【図２１】
2007022662.tif 000023
【図２２】
2007022662.tif 000024
【図２３】
2007022662.tif 000025
【図２４】
2007022662.tif 000026
【図２５】
2007022662.tif 000027
【図２６】
2007022662.tif 000028